(57)【要約】【課題】帯電微粒子水を衣類に効果的に付着、浸透させること。【解決手段】筺体１上部に装着された上部枠体４８と、上部枠体４８の後部内方に設けられた支持部材５０に設けられ、内槽４内に空気を供給する送風手段６５と、支持部材５０に装着された給水弁３２と、内槽４と送風手段６５を連結する熱交換ダクト１２と、帯電微粒子水を生成する静電霧化発生装置５５を有する静電霧化発生ユニット５３と、駆動手段８、送風手段６５などの動作を制御し、洗いから乾燥までの一連の行程、および除菌・脱臭行程を逐次制御する制御手段３３とを備え、制御手段３３は、除菌・脱臭行程において、給水弁３２を動作させ、送風手段６５の入り口側に形成した注水口６６から熱交換ダクト１２内に注水することにより、帯電微粒子水を効果的に衣類に付着、浸透させて除菌、脱臭を行なうことができる。【選択図】図１
2011193962.tif 000002
【特許請求の範囲】
【請求項１】
筐体内に弾性的に吊支した外槽と、回転中心軸を略鉛直方向に有し前記外槽内に回転自在に支持し衣類を収容し通気孔を有する内槽と、この内槽の内底部に設け衣類を撹拌するパルセータと、前記内槽またはパルセータを回転駆動する駆動手段と、前記筺体上部に装着された上部枠体と、前記内槽内に空気を供給する送風手段と、前記上部枠体に設けた給水弁と、湿った空気を除湿する熱交換ダクトと、静電霧化により帯電微粒子水を生成する静電霧化発生装置を有する静電霧化発生ユニットと、前記駆動手段、送風手段の動作を制御し、洗い、すすぎ、脱水、乾燥の一連の行程、前記送風手段および前記静電霧化発生装置を動作させる除菌・脱臭行程を逐次制御する制御手段とを備え、前記制御手段は、帯電微粒子水を前記内槽内に放出する除菌・脱臭行程において、前記給水弁を動作させ前記熱交換ダクト内に注水することを特徴とするパルセータ式洗濯乾燥機。
【発明の詳細な説明】
【技術分野】
【０００１】
本発明は、底部に衣類攪拌用パルセータを有する洗濯脱水槽を水槽内に回転自在に配し、洗濯脱水槽並びに水槽内方に帯電微粒子水を供給して、衣類などの除菌、消臭およびカビ発生抑制を行う洗濯乾燥機に関するものである。
【背景技術】
【０００２】
従来、この種の洗濯乾燥機は衣類に付着した雑菌や循環空気中の雑菌を殺菌するために、水槽と水槽内に回転可能に配設したドラムに、静電霧化により帯電微粒子水を生成して洗濯槽内に放出する構成が提案されている（例えば、特許文献１参照）。
【０００３】
図６は、特許文献１に記載された洗濯乾燥機の概略断面図である。
【０００４】
図６に示すように洗濯機本体７１の外郭を構成する洗濯機本体７２内に洗濯槽７３が内装され、洗濯槽７３は内部に回転ドラム７４を配置した水槽７５により構成している。回転ドラム７４は多数の小孔を構成し、モータ７６により回動する。水槽７５には給水路７７、排水路７８が接続してある。洗濯槽７３には開口７９が設けてあり、該開口７９に開閉自在に扉８０を設ける。
【０００５】
洗濯機本体７２内で、且つ洗濯槽７３の外部に（つまり水槽７５の外部に）静電霧化装置８１が設けられ、前記静電霧化装置８１は、ケース８２内に入れられ、該ケース８２にはファン８３が設けてある。ケース８２には、給気路８４を構成する給気ホースの一端が連通接続してあり、該給気ホースの他端が洗濯機本体７２に開口して外部と連通する。また、ケース８２には放出経路８５を構成する放出ホースの一端が連通接続してあり、該放出ホースの他端が洗濯槽７３の開口７９の端部に配管され、回転ドラム７４の内部に臨んでいる。
【０００６】
静電霧化装置８１にて生成されたナノメータサイズの帯電微粒子水は、ファン８３の運転により給気路８４を通って供給された外部空気により、放出経路８５を経て、洗濯槽７３内に放出されて、回転ドラム７４内部の衣類の脱臭、除菌を行うものである。
【０００７】
また、洗濯物の洗濯処理のための一連の運転が、洗濯物の洗浄運転、すすぎ運転、脱水運転、乾燥運転、静電霧化装置８１を運転しての除菌・脱臭運転を順番に行なうようになっている。
【０００８】
なお、この引用文献１は図示していないが、洗濯槽７３には温風または冷風を噴出する噴出し口を設けて、温風または冷風を洗濯槽７３内に噴出して、回転ドラム７４内の衣類を乾燥することができるようになっている。
【先行技術文献】
【特許文献】
【０００９】
【特許文献１】特開２００８−２３７４４２号公報
【発明の概要】
【発明が解決しようとする課題】
【００１０】
しかしながら、前記従来の構成では、乾燥運転の後に静電霧化装置８１を運転しての除菌・脱臭運転を、連続して順番に行なうようになっているため、除菌・脱臭運転時は、乾燥運転により水槽７３内は乾いて湿度が低い状態になっている。
【００１１】
静電霧化発生を安定的に行ない、帯電微粒子水を効果的に衣類に付着させるには、相対湿度２０〜８５％が望ましいが、引用文献１の構成では水槽７３内は乾いて相対湿度が２０％以下の状態になっている場合が多々あり、帯電微粒子水を効果的に衣類に付着させることができにくいため、除菌、脱臭の性能上の課題があった。
【００１２】
なお、除菌・脱臭運転を単独で行なっても、その前に乾燥運転を行なっている場合もあり、この場合も水槽７３内は乾いて湿度が低い状態になっているため、同様に、帯電微粒子水を効果的に衣類に付着させることができないという、除菌、脱臭の性能上の課題があった。
【００１３】
本発明は、上記従来の課題を解決するもので、安定して静電霧化発生を行ない、帯電微粒子水を効果的に衣類に付着、浸透させて除菌、脱臭を行なうという洗濯乾燥機を提供することを目的としている。
【課題を解決するための手段】
【００１４】
本発明は上記目的を達成するために、本発明の洗濯乾燥機は、筐体内に弾性的に吊支した外槽と、回転中心軸を略鉛直方向に有し前記外槽内に回転自在に支持し衣類を収容し通気孔を有する内槽と、この内槽の内底部に設け衣類を撹拌するパルセータと、前記内槽またはパルセータを回転駆動する駆動手段と、前記筺体上部に装着された上部枠体と、前記内槽内に空気を供給する送風手段と、前記上部枠体に設けた給水弁と、湿った空気を除湿する熱交換ダクトと、静電霧化により帯電微粒子水を生成する静電霧化発生装置を有する静電霧化発生ユニットと、前記駆動手段、送風手段の動作を制御し、洗い、すすぎ、脱水、乾燥の一連の行程、前記送風手段および前記静電霧化発生装置を動作させる除菌・脱臭行程を逐次制御する制御手段とを備え、前記制御手段は、帯電微粒子水を前記内槽内に放出する除菌・脱臭行程において、前記給水弁を動作させ前記熱交換ダクト内に注水するようにしたものである。
【００１５】
これにより、送風手段から内槽、熱交換ダクト、そして送風手段へ戻るという循環風に適度の湿気を加えることができるので、安定して静電霧化発生を行ない、帯電微粒子水を効果的に衣類に付着、浸透させて除菌、脱臭を行なうことができる。
【発明の効果】
【００１６】
本発明の洗濯乾燥機は、帯電微粒子水を効果的に衣類に付着、浸透させて、除菌、脱臭を行なうことができる。
【図面の簡単な説明】
【００１７】
【図１】本発明の実施の形態１における洗濯乾燥機の縦断面図
【図２】同洗濯乾燥機のブロック回路図
【図３】同洗濯乾燥機の要部分解斜視図
【図４】同洗濯乾燥機の静電霧化発生ユニット部の要部断面図
【図５】同洗濯乾燥機のナノイーコースのシーケンスを表す図
【図６】従来の洗濯乾燥機の概略断面図
【発明を実施するための形態】
【００１８】
第１の発明は、筐体内に弾性的に吊支した外槽と、回転中心軸を略鉛直方向に有し前記外槽内に回転自在に支持し衣類を収容し通気孔を有する内槽と、この内槽の内底部に設け衣類を撹拌するパルセータと、前記内槽またはパルセータを回転駆動する駆動手段と、前記筺体上部に装着された上部枠体と、前記内槽内に空気を供給する送風手段と、前記上部枠体に設けた給水弁と、湿った空気を除湿する熱交換ダクトと、静電霧化により帯電微粒子水を生成する静電霧化発生装置を有する静電霧化発生ユニットと、前記駆動手段、送風手段の動作を制御し、洗い、すすぎ、脱水、乾燥の一連の行程、前記送風手段および前記静電霧化発生装置を動作させる除菌・脱臭行程を逐次制御する制御手段とを備え、前記制御手段は、帯電微粒子水を前記内槽内に放出する除菌・脱臭行程において、前記給水弁を動作させ前記熱交換ダクト内に注水することにより、送風手段から内槽、熱交換ダクト、そして送風手段へ戻るという循環風に適度の湿気を加えることができるので、安定して静電霧化発生を行ない、帯電微粒子水を効果的に衣類に付着、浸透させて除菌、脱臭を行なうことができる。
【００１９】
以下、本発明の実施の形態について、図面を参照しながら説明する。なお、従来例と同じ構成のものは同一符号を付して説明を省略する。また、この実施の形態によって本発明が限定されるものではない。
【００２０】
（実施の形態１）
図１は、本発明の実施の形態１における洗濯乾燥機の縦断面図、図２は、同洗濯乾燥機のブロック回路図であり、図３は同洗濯乾燥機の要部分解斜視図である。
【００２１】
図１において、筐体１は、内部に複数のサスペンション２によって弾性的に吊り下げた外槽３を設け、脱水時の振動をサスペンション２によって吸収する構成としている。外槽３の内部には、衣類および乾燥対象物を収容する内槽４を中空で２重構造とした洗濯・脱水軸５を中心に回転可能に配設し、内槽４の内底部に衣類や乾燥対象物を撹拌するパルセータ６を回転自在に配設している。
【００２２】
また、内槽４の内部周壁には通気孔４ａを多数設けるとともに、上方には流体バランサ７を設けている。モータ（駆動手段）８は、外槽３の外底部に取り付け、洗濯または脱水時に回転力の伝達を洗濯・脱水軸５に切り換えるクラッチ９と洗濯・脱水軸５を介して、内槽４またはパルセータ６に連結している。パルセータ６は外周部に傾斜面１０を有する略鍋型の形状をし、撹拌用突出部１１を形成し、洗濯行程時に衣類が攪拌されるとともに、乾燥行程において、乾燥対象物をパルセータ６の回転による遠心力で傾斜面に沿って上方へと舞い上がりやすくしている。つまり、衣類は攪拌により、左右（回転方向）に入れ替わるとともに、上下にも入れ替わるという動きをするように構成されている。
【００２３】
熱交換ダクト１２は、循環する湿った空気（循環風）を除湿するもので、一端を伸縮自在の接続ダクト１３を介して外槽３の下部に設けた排水経路口１４に接続し、他端を、空気循環経路１７の入り口側で、ファン１５の下部に位置する循環風受け室４５の一端に接続している。
【００２４】
ファン１５の上部には、ヒータ１６が設けられ、空気循環経路１７の出口側は、空気噴出口２０を有する上部蛇腹状ホース１８に接続されており、循環風受け室４５から内槽４へ繋がり循環する空気循環経路１７を構成し、この空気循環経路１７、ファン１５、空気噴出口２０とで、送風手段６５を構成している。
【００２５】
空気循環経路１７の入り口側には温度検知手段３５が、出口側には温度検知手段３６が設けられ、乾燥行程時の循環風温度を検知している。
【００２６】
循環風受け室４５内には、フィルター４６が設けられており、循環風は、このフィルター４６を通って循環しており、フィルター４６で、衣類から発生した糸くずなどを捕集している。
【００２７】
送風手段６５の入り口側の循環風受け室４５には、注水口６６が形成され、後述する上部枠体４８に設けられた支持部材５０に装着された給水弁３２と、ホース６７で接続されている。
【００２８】
上記の給水弁３２は、２個以上の水路が開閉可能な複数弁構成とし、一つの水路は小流量で上記ホース６７にて循環風受け室４５のファン１５より上流側に接続し、他の水路は大流量で給水ホース６８にて、注水部材５２（図３にて後述）等を介して内槽４に洗濯水として給水可能に接続される。
【００２９】
外槽３には、外槽３の上面を気密的に覆う外槽カバー１９を設けており、この外槽カバー１９に伸縮自在の上部蛇腹状ホース１８からの空気噴出口２０を開口している。また、外槽カバー１９に中蓋２１を開閉自在に設け、衣類を出し入れするようにしている。
【００３０】
筺体１の上部は、略中央部に衣類投入口４７を有する上部枠体４８が装着されており、衣類投入口４７を覆うように外蓋４９が開閉自在に設けられている。
【００３１】
外槽３の底部には、外槽３内の水を排水する排水弁２２を設け、排水ダクト２３を介して熱交換ダクト１２と接続ダクト１３とに接続し、接続ダクト１３と熱交換ダクト１２からの排水を排水ダクト２３、排水弁２２に導き、排水ホース２４から機外へ排水するようにしている。
【００３２】
冷却用送風機２５は、筐体１の側面に取り付け、筐体１の内部に外槽３、熱交換ダクト１２などを冷却するように送風できるよう構成している。
【００３３】
制御装置３０は、一体集中的に形成するとともに、筐体１の背面部（裏カバー）４２に略垂直に配設し、制御装置３０の下側に冷却用送風機２５を設けている。また、制御装置３０は、カバー４３にて覆われ保護されている。
【００３４】
図２のブロック回路図において、制御装置３０は、負荷駆動手段３１を介して、モータ（駆動手段）８、クラッチ９、送風手段を構成するファン１５、ヒータ１６、排水弁２２、冷却用送風機（冷却手段）２５、給水弁３２などの動作を制御し、洗い、すすぎ、脱水、乾燥の各行程および除菌・脱臭行程を制御する制御手段３３を有している。
【００３５】
制御手段３３は、マイクロコンピュータなどで構成し、商用電源４０から、電源スイッチ４１のＯＮにより電力が供給されて動作を始め、水位検知手段３４、温度検知手段３５、３６の出力を入力し、入力設定手段３７にて使用者の入力により設定された内容に基づいて、表示手段３８に設定内容を表示するとともに、双方向サイリスタ、リレーなどで構成した負荷駆動手段３１を介して、モータ８、クラッチ９、ファン１５、ヒータ１６、排水弁２２、冷却用送風機２５、給水弁３２、吸水ポンプ５１などの動作を制御し、洗い、すすぎ、脱水、乾燥の各行程を制御する。
【００３６】
また、制御回路である静電霧化駆動手段５６を介して静電霧化発生装置５５を制御することにより、除菌・脱臭行程を制御する。また、入力設定手段３７と表示手段３８とで、操作表示部３９を構成している。
【００３７】
制御手段３３は、乾燥行程にて、温度検知手段３６により検知した温度が第１の所定温度（たとえば、１１０℃）に達したとき、ヒータ１６をオフし、そのときの温度検知手段３５による温度から第２の所定温度（たとえば、２ｋ）が下がったとき、ヒータ１５を動作させて循環風の温度を調節するよう構成している。
【００３８】
図３の要部分解斜視図において、上部枠体４８の後部内方に設けられた支持部材５０には、水槽内に水道水を給水する給水弁３２、風呂水などを吸水して水槽内に供給する吸水ポンプ５１や、空気循環経路１７、また、給水弁３２から水槽へ給水するときに水道水を通過させて洗剤を投入する注水部材５２などを装着している。
【００３９】
さらに、支持部材５０には、送風手段６５の構成部材の空気循環経路１７の循環風受け室４５に隣接して、静電霧化発生装置５５（図４にて後述）を内設する静電霧化発生ユニット５３が、支持部材５０の下方から取り付け、固定されている。
【００４０】
前記の支持部材５０は、上部枠体４８の下方から取り付け、ねじ５３ａ、５３ｂを上部枠体４８の後面より螺合し、ねじ５３ｃ、５３ｄを上部枠体４８の上面より螺合して、上部枠体４８に固定するとともに、支持部材５０の後部をねじ５４ａ、５４ｂで筺体１の後面に固定している。
【００４１】
上記構成において、洗濯から乾燥行程の基本的な動作を説明する。
【００４２】
洗濯行程では、外蓋４９を開け、中蓋２１を開けて、内槽４に衣類と洗剤を投入し、運転を開始すると所定の水位まで給水した後、モータ８を駆動する。このとき、伝達機構部のクラッチ９によりモータ８の動力を、洗濯軸を介してパルセータ６に伝達し、パルセータ６が回転することで、衣類がパルセータ６の撹拌用突出部１１に引っかかり、中心部へ引き込まれる。内槽４の中心下層部の衣類は、引き込まれた衣類により、内槽４の上層部へ押し上げられる。このようにして内槽４内の衣類を撹拌して、衣類同士、または内槽４の内壁やパルセータ６との接触により作用する機械力と、水流力により行われる。
【００４３】
脱水行程では、洗濯終了後、排水弁２２を開いて内槽４内の水を排水ホース２４より排水した後、伝達機構部のクラッチ９を脱水側に切り換えて、モータ８の動力を、脱水軸を介し内槽４に伝達して回転させ、衣類に遠心力を与えることにより、水分を衣類から分離することで行う。
【００４４】
乾燥行程では、クラッチ９を洗濯側に切り換えてモータ８を駆動してパルセータ６に伝達し、パルセータ６を急速に正転、反転することで、脱水後に内槽４の内壁に張り付いた衣類を引き剥がす。つぎに、パルセータ６を正転、反転させて撹拌用突出部１１で衣類を引っかけて撹拌しながら、ヒータ１６とファン１５などからなる送風手段により温風を空気噴出口２０に送る。空気噴出口２０より内槽４に吹き込まれた温風は、衣類から水分を蒸発させた後、内槽４から外槽３の内側へ出た後、排水経路口１４より接続ダクト１３を通過して、熱交換ダクト１２へ至る。
【００４５】
衣類の水分を奪って湿気を含んだ温風が、外槽３の内壁や熱交換ダクト１２内を通過しているとき、筐体１の側面に設置した冷却用送風機２５による外部空気の流入で、外槽３や熱交換ダクト１２の外壁は冷却されることになり、その内部では、水分の結露が起こり、湿った温風は除湿されて、循環風受け室４５へ入り、フィルター４６を通過してからファン１５へ戻る。この循環路で温風を循環させることにより、内槽４内の衣類を乾燥させることができる。なお、このとき、給水弁３２を動作させてホース６７側へ給水し、ファン１５より上流側の注水口６６から熱交換ダクト１２へ、小流量の水を注水して除湿する水冷除湿方式を取ってもよい。
【００４６】
除菌・脱臭行程では、上記のファン１５駆動時に静電霧化発生装置５５（図４にて後述）を動作させることにより、帯電微粒子水が空気循環経路１７の出口側の空気噴出口２０より、内槽４内部の衣類に放出される。
【００４７】
図４は、本発明の実施の形態１における洗濯乾燥機の静電霧化発生ユニット部の要部断面図である。
【００４８】
図４において、支持部材５０の下方から取り付け、固定されている静電霧化発生ユニット５３には、静電霧化取り付け板６３内方に、取り付け板Ａ５７に固定された静電霧化発生装置５５、および取り付け板Ｂ５８に固定された制御回路である静電霧化駆動手段５６が設けられている。
【００４９】
なお、図示していないが、静電霧化発生装置５５と制御回路である静電霧化駆動手段５６とはリード線や接続コネクターで電気的な接続がなされている。
【００５０】
取り付け板Ａ５７には、静電霧化発生装置５５の下部に空気流入口５９が形成され、静電霧化取り付け板６３の側壁には、静電霧化発生装置５５よりも低い位置に帯電微粒子水放出口６０が形成され、帯電微粒子水放出口６０は、送風手段６５の構成部材の循環風受け室４５と連通している。
【００５１】
また、静電霧化取り付け板６３の帯電微粒子水放出口６０と静電霧化発生装置５５との間には、遮蔽壁６１が、取り付け板Ａ５７の底面と間隙をもって、かつ、下方に垂下したリブ形状の先端が、前記帯電微粒子水放出口６０の下端より下方になるよう形成され、帯電微粒子水放出口６０と静電霧化発生装置５５とを防水可能に遮蔽している。
【００５２】
図５は、帯電微粒子水を放出する除菌・脱臭行程であるナノイーコースのシーケンス表の一例であり、以下図面に従ってナノイーコースにおける動作を説明する。
【００５３】
ナノイーコースは、図５で示すように、略２分間の送風行程と略３３分間の本行程から構成されている。なお、ナノイーコースとは、乾燥行程とほぼ同様に制御される行程であるが、ヒータ１６は動作させず、静電霧化駆動手段５６により静電霧化発生装置５５を所定の時限で動作させる。
【００５４】
まず、送風行程において、静電霧化発生装置５５やモータ８は動作せず、ファン１５を駆動して、送風手段６５から内槽４、熱交換ダクト１２、そして送風手段６５へ戻るという循環風を形成する。
【００５５】
上記循環風の形成とともに、小流量の給水弁３２が動作してホース６７側へ給水が開始され、ファン１５より上流側の注水口６６から熱交換ダクト１２へ、小流量の水が注水される。この時、排水弁２２は開放している状態である。
【００５６】
上記循環風に含まれた注水は、ファン１５に吸引され、かつ微細な水滴に粉砕され循環風に湿気が含まれことになり、内槽４を含めた循環風の経路は、乾燥状態から湿潤状態へと変化していく。
【００５７】
特に、ナノイーコースを運転する前に乾燥行程が行なわれておれば、循環風の経路は乾燥状態にあり内槽４内も高温低湿状態にあるが、上記送風行程により、湿潤状態になるとともに経路の温度も下げられる。
【００５８】
次に、給水弁３２が停止して、ナノイーコースの本行程が開始される。
【００５９】
制御手段３３からの指示で静電霧化駆動手段５６が駆動すると、静電霧化発生装置５５が動作し、空気流入口５９から流入した空気が、静電霧化発生装置５５の放電電極（図示せず）に、結露水として供給され、そこへ高電圧が印加されて、マイナスに帯電したナノメータサイズの帯電微粒子水が大量に生成される。
【００６０】
除菌・脱臭行程であるナノイーコースは、ヒータ１６には通電されないが、乾燥行程とほぼ同様の行程を制御することにより、内槽４内の衣類を通過した風が、熱交換ダクト１２内を通過し、循環風受け室４５へ入り、フィルター４６を通過してからファン１５へ行き、上部蛇腹状ホース１８を経由して空気噴出口２０より内槽４に戻されるという大きな循環風の流れを形成する。
【００６１】
この大きな循環風の流れにより、循環風受け室４５と帯電微粒子水放出口６０により連通している、静電霧化取り付け板６３と取り付け板Ａ５７で形成される静電霧化室６４は、循環風が流れる循環経路に対して容積が小さいため、負圧状態となる。これにより、循環風が流れている時に、生成された帯電微粒子水は、帯電微粒子水放出口６０から循環風受け室４５内に吸い込まれ、吸い込まれた帯電微粒子水は、循環風の流れに乗って内槽４内に放出される。
【００６２】
帯電微粒子水を含んだ循環風が流れている間、モータ８が駆動して、パルセータ６と内槽４の回転により衣類の攪拌が行なわれ、衣類の隅々まで帯電微粒子水が効果的に付着、浸透されて、除菌、脱臭が行われる。
【００６３】
以上のように、本実施の形態においては、制御手段は、除菌・脱臭行程であるナノイーコースにおいて、小流量の給水弁を動作させ、送風手段の入り口側に形成した注水口から熱交換ダクト内に注水することにより、予め循環風に適度の湿気を加えて、内槽内方を相対湿度２０〜８５％の状態とし、ナノイーコースの本行程において静電霧化発生装置からの帯電微粒子水を効果的に衣類に付着せせることができるので、除菌、脱臭の効果が高める事ができる。
【００６４】
また、除菌・脱臭行程における送風行程での給水を、循環風受け室のファンより上流側に接続したことで、槽内の衣類に直接給水して槽内の湿度を高めるのではなく、ファンにて微細な水滴に粉砕されて噴霧状態として槽内に供給しているので、除菌・脱臭行程の前に運転していた乾燥行程での終了にて乾燥状態にあった衣類への水滴付着という不具合も回避することができる。
【産業上の利用可能性】
【００６５】
以上のように、本発明にかかる洗濯乾燥機は、安定して静電霧化発生を行ない、帯電微粒子水を効果的に衣類に付着、浸透させて除菌、脱臭を行なうことができるので、洗濯機や乾燥機等の用途にも適用できる。
【符号の説明】
【００６６】
１    筺体
３    外槽
４    内槽
６    パルセータ
８    モータ（駆動手段）
１２  熱交換ダクト
１５  ファン
３２  給水弁
３３  制御手段
４８  上部枠体
５０  支持部材
５３  静電霧化発生ユニット
５５  静電霧化発生装置
６５  送風手段
６６  注水口
【図１】
2011193962.tif 000003
【図２】
2011193962.tif 000004
【図３】
2011193962.tif 000005
【図４】
2011193962.tif 000006
【図５】
2011193962.tif 000007
【図６】
2011193962.tif 000008